(57)【特許請求の範囲】
【請求項１】
２つの関節運動可能に結合された蝶番部材（１ａ、１ｂ）を有するドアの蝶番（１）であり、その際、これら蝶番部材の内の１つの蝶番部材が、
ドア枠におけるまたはドアの扉における固定のための基礎本体（２ａ）を、および、
少なくとも１つの、この基礎本体（２ａ）に対して２つの方向に位置調節可能なインサート（３ａ）を、有する様式のドアの蝶番であって、
その際、前記インサート（３ａ）と前記基礎本体（２ａ）との間に、中間部片（６、６′）が設けられており、且つ、
その際、この中間部片（６、６′）が、前記基礎本体（２ａ）に対して、第１の直線案内部に沿って、第１の方向（Ｘ）へと位置移動可能である様式の上記ドアの蝶番において、前記インサート（３ａ）が、前記中間部片（６、６′）に対して、第２の直線案内部に沿って、第２の方向（Ｚ）へと位置移動可能であること、および、
締付け状態の固定のための固定手段が、前記基礎本体（２ａ）の前方の部分、前記中間部片（６、６′）および前記インサート（３ａ）を貫通係合していること、
を特徴とするドアの蝶番（１）。
【請求項２】
前記第１直線案内部、及び／または第２の直線案内部は、溝案内部として形成されていることを特徴とする請求項１に記載のドアの蝶番（１）。
【請求項３】
前記中間部片（６、６′）は、溝案内部として形成された、前記第１および第２の直線案内部の形成のために、それぞれに、少なくとも１つの突出部（７）を有し、この突出部が、前記基礎本体（２ａ）もしくは前記インサート（３ａ）において設けられた溝部（８）内へと係合することを特徴とする請求項２に記載のドアの蝶番（１）。
【請求項４】
前記第１の直線案内部および第２の直線案内部は、前記中間部片（６、６′）の相対して位置している表裏面に形成されていることを特徴とする請求項１から３のいずれか一つに記載のドアの蝶番（１）。
【請求項５】
前記固定手段として、ねじ（１１）が設けられており、このねじが、ねじ付き部片（１２）内へと係合し、その際、
このねじ（１１）の締付けによって、前記インサート（３ａ）および前記中間部片（６、６′）が、このねじ付き部片（１２）によって、前記基礎本体（２ａ）に対して締付ける状態で引っ張られることを特徴とする請求項１から４のいずれか一つに記載のドアの蝶番（１）。
【請求項６】
前記蝶番部材（１ａ、１ｂ）の結合部として、２つの、関節運動可能に互いに結合されたヒンジ湾曲部材（５）が設けられており、その際、
これら蝶番部材（１ａ、１ｂ）が、それぞれに、前記基礎本体（２ａ、２ｂ）、および２つの前記インサート（３ａ、３ｂ）を有しており、および、その際、
これらインサート（３ａ、３ｂ）において、
それぞれに、これらヒンジ湾曲部材（５）の内の一方のヒンジ湾曲部材が、回転可能に、および、
他方のヒンジ湾曲部材が、回転可能に且つこれらインサート（３ａ、３ｂ）の案内摺動溝路（１３）に沿って位置移動可能に収容されていることを特徴とする請求項１から５のいずれか一つに記載のドアの蝶番（１）。
【請求項７】
前記蝶番部材（１ａ、１ｂ）は、前記ドアの扉とドア枠との間の覆われた配設のために、
このドア枠の窪み部内において、およびドアの扉の幅狭側内において使用可能である
ことを特徴とする請求項６に記載のドアの蝶番（１）。
【請求項８】
前記中間部片（６、６′）は、変形された薄板から形成されていることを特徴とする請求項１から７のいずれか一つに記載のドアの蝶番（１）。
【請求項９】
前記インサート（３ａ）は、前記基礎本体（２ａ）に対して、
ドアの蝶番の旋回軸線に対して平行に延在する垂直方向（Ｚ）に沿って、および、
この垂直方向（Ｚ）に対して垂直に、水平方向（Ｘ）に沿って位置調節可能であることを特徴とする請求項１から８のいずれか一つに記載のドアの蝶番（１）。
【請求項１０】
前記インサート（３ａ）は、金属を射出成形した部材であることを特徴とする請求項１から９のいずれか一つに記載のドアの蝶番（１）。
【請求項１１】
前記ドアの扉は、前記ドア枠に対して、垂直方向（Ｚ）内において、および、
このドアの扉の閉鎖位置に関して、２つの垂直に互いに起立する水平方向（Ｘ、Ｙ）内において、位置決め可能であることを特徴とする請求項１から１０のいずれか一つに記載のドアの蝶番（１）。
【請求項１２】
前記基礎本体（２ａ、２ｂ）は、薄板から成る一体的な部材として形成されていることを特徴とする請求項１から１１のいずれか一つに記載のドアの蝶番（１）。
【発明の詳細な説明】
【技術分野】
【０００１】
本発明は、
２つの関節運動可能に結合された蝶番部材を有するドアの蝶番であり、その際、これら蝶番部材の内の１つの蝶番部材が、
ドア枠におけるまたはドアの扉における固定のための基礎本体を、および、
少なくとも１つの、この基礎本体に対して２つの方向に位置調節可能なインサートを、有する様式のドアの蝶番であって、
その際、インサートと基礎本体との間に、中間部片が設けられており、且つ、
その際、この中間部片が、基礎本体に対して、第１の直線案内部に沿って、第１の方向へと位置移動可能である様式の上記ドアの蝶番に関する。
この位置調節可能なインサートは、例えば、蝶番舌状部（Ｂａｎｄｌａｐｐｅｎ）のための収容部として形成されている。
選択的に、このドアの蝶番は、ドアの扉とドア枠との間の覆われた配設のために設けられており、その際、蝶番部材が、このドア枠の窪み部内において、およびドアの扉の幅狭側内において使用可能であり、且つ、２つの相対して回転可能なヒンジ湾曲部材によって、互いに結合されている。
【背景技術】
【０００２】
２つの関節運動可能に結合された蝶番部材を有するドアの蝶番であり、その際、これら蝶番部材の内の１つの蝶番部材が、
ドア枠におけるまたはドアの扉における固定のための基礎本体を、および、
少なくとも１つの、この基礎本体に対して２つの方向に位置調節可能なインサートを、有する様式のドアの蝶番は、特許文献１から公知であり、
その際、両方の蝶番部材が、それぞれに、１つの基礎本体を有し、この基礎本体が、関節運動可能に互いに結合されたヒンジ湾曲部材の上側および下側に、２つの、この基礎本体に対して位置調節可能なインサートを有している。
これらヒンジ湾曲部材は、これらインサートに保持されており、
その際、それぞれのインサートに、これらヒンジ湾曲部材内の一方のヒンジ湾曲部材が、回転可能に、および、
他方のヒンジ湾曲部材が、回転可能に且つ案内摺動溝路（Ｆｕｅｈｒｕｎｇｓｋｕｌｉｓｓｅ）に沿って移動可能に収容されている。
これら蝶番部材の内の一方の蝶番部材において、
これらインサートが、基礎本体に対して、垂直方向に位置調節可能であり、その際、
垂直方向内において、１つの溝案内部と、並びに、これらインサートに対して作用しこの基礎本体に支持される調節偏心体とが設けられている。
他方の蝶番部材において、１つの位置調節は、２つの互いに垂直に起立する、水平の方向において実現されており、その際、１つの位置調節が、蝶番部材の前面側に対して平行に、長手孔によって可能とされている。
この適当な位置調節でもって、閉鎖されたドアの扉の位置は、ドアの扉面に対して垂直に調節され得る。この位置調節によって、この扉の外側面は、枠の鏡のように滑らかな表面に関して、アジャストされ、その際、同様に、扉封隙材に対して作用する圧力も変化される。この相応する水平方向の位置調節は、従って、実際に、同様に押付け調節（Ａｎｄｒｕｃｋｖｅｒｓｔｅｌｌｕｎｇ）とも称される。位置調節は、相応する蝶番部材の前面側に対して垂直に、位置調節スピンドルによって可能とされており、その際、この位置調節によって、閉鎖されたドアの扉の場合、両側に残る間隙は、枠に対して調節され得る。この相応する位置調節は、従って実際に、側方位置調節と称される。
【０００３】
２つの関節運動可能に結合された蝶番部材を有するドアの蝶番であり、その際、これら蝶番部材の内の１つの蝶番部材が、
ドア枠におけるまたはドアの扉における固定のための基礎本体を、および、
少なくとも１つの、この基礎本体に対して２つの方向に位置調節可能なインサートを、有する様式の、更に別のドアの蝶番は、特許文献２から公知であり、
その際、側方位置調節が、位置調節スピンドルを介して、および、押付け調節が、この側方位置調節に対して垂直に、少なくとも１つの長手孔を介して行われる。
この位置調節スピンドルは、前方板と後方板との間に設けられている。
付加的な位置調節を、更に別の水平方向内において可能とするために、少なくとも１つの、更に別の締付けまたは中間板が必要である。この公知のドアの蝶番は、構造的に比較的に手間暇がかかり、且つ、多数の、互いにねじ止めされるべき部材を必要とする。
【０００４】
請求項１の上位概念に従うドアの蝶番は、特許文献３から公知である。
【先行技術文献】
【特許文献】
【０００５】
【特許文献１】ヨーロッパ特許出願公開第１  ３０８  ５９２  Ａ２号明細書
【特許文献２】独国特許出願公開第１０  ２００９  ０３８  ９５５  Ａ１号明細書
【特許文献３】ヨーロッパ特許出願公開第２  ３９０  ４４６  Ａ１号明細書
【発明の概要】
【発明が解決しようとする課題】
【０００６】
従って、上記の背景から、本発明の根底をなす課題は、２つの関節運動可能に結合された蝶番部材を有するドアの蝶番を提示することであり、
このドアの蝶番の場合、これら蝶番部材の内の１つの蝶番部材に、２つの方向内における位置調節が、構造的に簡単な手段でもって可能とされる。
【課題を解決するための手段】
【０００７】
冒頭に記載した様式の特徴を有するドアの蝶番を出発点として、この課題は、本発明に従い、
インサートが、中間部片に対して、第２の直線案内部に沿って、第２の方向へと位置移動可能であること、および、
締付け状態の固定のための固定手段が、基礎本体の前方の部分、中間部片およびインサートを貫通係合していることによって解決される。
【発明の効果】
【０００８】
第１および第２の直線案内部によって、精密な位置調節は、基礎本体がインサートに対して傾倒されまたは旋回されること無しに、２つの方向内において、特に２つの、垂直に互いに起立する方向内において可能である。更に、これら位置調節のために設けられた直線案内部は、簡単な方法で、比較的に小さな中間部片に形成され得る。
【０００９】
第１および第２の直線案内部は、長手孔または溝案内部によって実現され得、その際、１つの溝案内部の形成のために、
互いに接し合うように案内されるべき部材の内の一方の部材における少なくとも１つの突出部が、他方の部材の溝部内において収容されている。
直線案内部の方向内において縦長の１つの突出部、または、２つの離間された突出部を有する実施形態は、配置された移動方向に対する傾倒を回避するために、特に有利である。記載された実施形態の有利な更なる構成に従い、
中間部片は、溝案内部として形成された、第１および第２の直線案内部の形成のために、それぞれに、少なくとも１つの突出部を有し、この突出部が、基礎本体もしくはインサートにおいて設けられた溝部内へと係合する。
この基礎本体およびインサートは、相応して簡単に成形され得、その際、上記された溝部が、同様に、後から追加して、簡単に、高い精確さで形成され得る。この中間部片が、単に、２つの方向内における上記された位置調節可能性を可能にすることのためだけに設けられているので、この中間部片は、比較的に小さく、且つ従って、容易に製造され得る。案内のために設けられた成形部を除いて、簡単な、板形または円板形が合目的である。
【００１０】
中間部片の製造のために、従って、異なる可能性が与えられる。簡単な形状に基づいて、射出成形が考慮に値する。更に、この中間部片は、しかしながら同様に、変形された薄板から形成され得、このことのために、単に打抜き加工だけが必要である。
上記の突出部は、その場合に、簡単な方法で、薄板から成形され得る。ピンの形状またはその種の他の形状における突出部を、この中間部片の穿孔内へと挿入することは、同様に可能である。このような実施形態の場合、これら突出部は、同様に特に抵抗力のある（ｗｉｄｅｒｓｔａｎｄｓｆａｅｈｉｇｅｎ）、及び／または低摩擦の材料から形成され得る。
【００１１】
中間部片が、基礎本体とインサートとの間に設けられているので、一方では第１の直線案内部が、および他方では第２の直線案内部が、合目的に、中間部片の相対して位置している側面に形成されている。
【００１２】
弛緩された固定手段の場合、基礎本体は、インサートに対して、両方の直線案内部に沿って、傾倒すること無しに、制御された状態で移動され得る。この固定手段は、例えば、ねじであり、このねじが、ねじ付き部片内へと係合し、その際、このねじの締付けによって、インサートおよび中間部片が、このねじ付き部片によって、基礎本体に対して締付ける状態で引っ張られる。
【００１３】
このドアの蝶番の更に別の実施形態のために、本発明の範囲内において、異なる可能性が与えられる。
有利な実施形態に従い、蝶番部材の結合部として、２つの、関節運動可能に協働するヒンジ湾曲部材が設けられており、その際、
これら蝶番部材が、それぞれに、基礎本体、および２つのインサートを有しており、および、その際、
これらインサートにおいて、
それぞれに、これらヒンジ湾曲部材の内の一方のヒンジ湾曲部材が、回転可能に、および、
他方のヒンジ湾曲部材が、回転可能に且つこれらインサートの案内摺動溝路に沿って位置移動可能に収容されている。
【００１４】
これら蝶番部材は、その場合に、ドアの扉とドア枠との間の覆われた配設のために、このドア枠の窪み部内において、およびドアの扉の幅狭側内において設けられている。
【００１５】
中間部片によって、２つの、有利には、垂直に互いに起立した方向内における位置調節が可能とされる。
特に、少なくとも１つのインサートは、基礎本体に対して、
ドアの蝶番の旋回軸線に対して平行に延在する垂直方向に沿って、および、
この垂直方向に対して垂直に、水平方向に沿って位置調節可能である。
ドアの扉の閉鎖位置に関して、更に別の水平方向内における位置調節は、他方の蝶番部材において実施され得、従って、総じて３つの方向内において位置調節可能なドアの蝶番が提供される。
【００１６】
インサートは、有利には、金属射出成形部材である。その際、第２の直線案内部の提供のための成形部が比較的に簡単であり、且つ、同様に、何の問題も無く、金属射出成形プロセスにおいて形成され得ることの利点が与えられる。選択的に、溝部が金属射出成形部材内において、同様に、更に後から追加して形成され得る。
この製造は、従って、特に安いコストで可能である。総じて、ドアの蝶番の安定性および機能において、原価を最低限に抑えるために、同様に、基礎本体は、薄板から成る一体的な部材として形成され得る。同様に、その際、第１の直線案内部のために必要な成形部は、容易に形成され得る。
【００１７】
本発明を、以下で、単に１つの実施例だけを図示した図面に基づいて説明する。
【図面の簡単な説明】
【００１８】
【図１】分解図で図示された、本発明に従うドアの蝶番の部分図である。
【図２Ａ】中間部片の表側の詳細図である。
【図２Ｂ】図２Ａに従う中間部片の裏側からの眺望の図である。
【図３】図１内において図示されたドアの蝶番の透視図における全体図である。
【図４Ａ】図３の線Ａ−Ａに沿っての断面図である。
【図４Ｂ】図３の線Ｂ−Ｂに沿っての断面図である。
【図５Ａ】分解図で図示された、ドアの蝶番の選択的な実施形態の部分図である。
【図５Ｂ】図５Ａに従う中間部片の詳細図である。
【発明を実施するための形態】
【００１９】
本発明は、一般的に、２つの関節運動可能に結合された蝶番部材１ａ、１ｂを有するドアの蝶番１であり、その際、これら蝶番部材の内の１つの蝶番部材が、
ドア枠におけるまたはドアの扉における固定のための基礎本体２ａを、および、
少なくとも１つの、この基礎本体２ａに対して２つの方向に位置調節可能なインサート３ａを、有する様式のドアの蝶番に関している。
このようなドアの蝶番の可能な実施形態は、図３内において図示されており、その際、両方の蝶番部材１ａ、１ｂが、それぞれに、基礎本体２ａ、２ｂを、並びに、それぞれに、２つのインサート３ａ、３ｂを有している。
第１の蝶番部材１ａのインサート３ａが、
垂直方向Ｚにおいて組み付けられた状態における、ドアの蝶番１の通例の配設に関して、この垂直方向に対して垂直に、第１の水平方向Ｘにおいて、設けられた基礎本体２ａに対して位置調節可能であるのに対して、
更に別の位置調節が、
第２の蝶番部材１ｂにおける第２の水平方向Ｙにおいて、相応する基礎本体２ｂの前面側に対して垂直に行われ、その際、この第２の蝶番部材１ｂにおいて、インサート３ｂが、それぞれに位置調節スピンドル４でもって、設けられた基礎本体２ｂに対して位置決め可能である。
【００２０】
この第１の蝶番部材１ａの精確な実施形態は、図１内において、分解図で図示された部分図から与えられる。
回転軸線Ｄにおいて互いに結合されたヒンジ湾曲部材５の上側および下側に、それぞれに、１つのインサート３ａが設けられており、その際、それぞれのインサート３ａと、基礎本体２ａの前方の部分との間に、中間部片６が設けられていることは、認められるべきである。
この中間部片６は、板状に形成されており、且つ、この中間部片の表側（上側）およびこの中間部片の裏側（下側）に、成形部を有しており、これら成形部が、基礎本体２ａにおいて設けられた成形部と、第１の直線案内部を、および、インサート３ａにおいて設けられた成形部と、第２の直線案内部を形成している。
【００２１】
図示された実施例において、中間部片６は、この中間部片の表側に、２つの突出部７を有しており、これら突出部が、第１の水平方向Ｘに延在する溝部８内へと係合し、且つ従って、この溝部８と共に、溝案内部を形成する。この溝部８は、図１内において、覆われた状態で設けられている。
【００２２】
図２Ｂから、中間部片６が、この中間部片の裏側に、スリット９を有しており、これらスリットが、組み付けられた状態において、垂直方向Ｚにおいて延在し、且つ、設けられたインサート３ａのウェブ１０内へと係合することが見て取れる。これらスリット９とウェブ１０は、共に、上記された第２の直線案内部を形成する。
【００２３】
これら中間部片６でもって、第１の蝶番部材１ａの両方のインサート３ａは、精密に、基礎本体２に対して位置調節可能であり、その際、これら両方の直線案内部によって、傾倒が回避される。
【００２４】
第１の蝶番部材１ａにおいて、インサート３ａを、基礎本体２ａに対して、所望され調節された位置内において、固定するために、固定手段が、ねじ１１の様式で設けられており、このねじが、基礎本体２ａの前方の部分、中間部片６および、設けられたインサート３ａを貫通係合し、且つ、インサート３ａの下側に設けられたねじ付き部片１２内へと係合している。このねじ１１の締付けによって、インサート３ａおよび中間部片６は、ねじ付き部片１２によって、基礎本体２ａに対して締付ける状態で引っ張られ、且つ従って固定される。
この固定された状態において、ドアの蝶番は、予期せぬ位置移動に対して保護されており、その際、このねじ１１の弛緩の後、新たな調節が可能である。
【００２５】
図３から明らかであるように、両方の蝶番部材１ａ、１ｂの結合のために、回転軸線Ｄに、互いに結合されたヒンジ湾曲部材５が設けられており、その際、これらヒンジ湾曲部材５が、それぞれに、これら蝶番部材１ａ、１ｂ内の一方の蝶番部材のインサート３ａ、３ｂにおいて、回転可能に、且つ、他方の蝶番部材１ｂ、１ａのインサート３ａ、３ｂにおいて、案内摺動溝路１３に沿って位置移動可能に収容されている。
この図３は、この関連において、上記のような自体公知の配設の更なる構成を示しており、この配設の場合、それぞれのインサート３ａ、３ｂに、２つの案内摺動溝路１３が設けられており、これら案内摺動溝路の内の１つの案内摺動溝路１３が未使用のままである。記載された更なる構成の範囲内において、これらインサート３ａ、３ｂが、左側と同様に右側にも、即ち、蝶番部材１ａ、１ｂ内の一方の蝶番部材において、ヒンジ湾曲部材５の上側においてと同様に、１８０°だけ回転された下側においても、使用され得ることは有利である。
【００２６】
第１の蝶番部材１ａの基礎本体２ａと相応するインサート３ａとの間の、中間部片６の、本発明に従う配設は、同様に、図４Ａ内において見て取れ、この図が、図３の線Ａ−Ａに沿っての断面を示している。第１の蝶番部材１ａのインサート３ａは、垂直方向Ｚにおいて延在する長手孔１４を有しており、これら長手孔が、垂直方向Ｚにおける位置調節を可能にし、その際、それに加えて、これらインサート３ａが、これらインサートのウェブ１０でもって、中間部片６のスリット９に案内されている。第１の水平方向Ｘに沿ってのこの上記案内に対して垂直の、位置調節は、溝部８との、中間部片６の突出部７の協働によって可能であり、この溝部が、裏側で、基礎本体２ａの前方の部分に形成されている。図４Ａ内において認識可能な長手孔１４は、相応して、同様に、十分な側方の遊隙を、第１の水平方向Ｘに沿って有していなければならない。
【００２７】
図４Ｂは、第２の蝶番部材１ｂにおいて、インサート３ｂの配設を示しており、その際、ここで、インサート３ｂが、先に記載された位置調節スピンドル４でもって、基礎本体２ｂの前面側に対して垂直に、第２の水平方向Ｙに沿って位置調節可能である。
閉鎖されたドアの扉に関して、位置調節可能性は、３つの、垂直に互いに起立する方向Ｘ、Ｙ、Ｚ内において与えられ、従って、簡単な手段でもって、ドアの扉の精密な調節が可能である。
【００２８】
図５Ａおよび５Ｂは、ドアの蝶番の選択的な実施形態を示しており、この実施形態に場合、中間部片６′の裏側において、幅広のアーチ状の成形部１５が設けられており、この成形部が、インサート３ａの収容部１６でもって、垂直方向に案内されている。この成形部１５および収容部１６は、従って、第２の直線案内部を、溝案内部の様式で形成する。第１の直線案内部は、先に記載されたように構成されており、その際、図５Ａ内において、基礎本体２ａに形成された溝部８が認識可能である。
【００２９】
図５Ａおよび５Ｂの比較考察から、中間部片６′が、容易に、薄板の変形によって形成され得、その際、この中間部片６′の厚さが、異なる位置において、ほぼ同じに留まっていることが見て取れる。同様に、裏側における成形部１５、および上方へと突き出る突出部７は、薄板変形によって形成され得る。
【符号の説明】
【００３０】
１    ドアの蝶番
２ａ、２ｂ    基礎本体
３ａ、３ｂ    インサート
４    位置調節スピンドル
５    ヒンジ湾曲部材
６、６′    中間部片
７    突出部
８    溝部
９    スリット
１０  ウェブ
１１  ねじ
１２  ねじ付き部片
１３  案内摺動溝路
１４  長手孔
１５  成形部
１６  収容部
Ｄ    回転軸線
Ｘ    第１の水平方向
Ｙ    第２の水平方向
Ｚ    垂直方向
【図１】
0006006974.tif 000002
【図２Ａ】
0006006974.tif 000003
【図２Ｂ】
0006006974.tif 000004
【図３】
0006006974.tif 000005
【図４Ａ】
0006006974.tif 000006
【図４Ｂ】
0006006974.tif 000007
【図５Ａ】
0006006974.tif 000008
【図５Ｂ】
0006006974.tif 000009